(57)【要約】【課題】本発明は、上方から流入する雨水を集水する枡本体と該雨水を側方に排出するために該枡本体の側壁に連通形成した排水筒とからなる雨樋連結用枡において、雨水の排出方向を効率よく変えることができ、しかも該雨樋連結用枡の強度を増大できるとともに、雨水の排出衝撃音を小さくできる雨樋連結用枡を提供することを課題とする。【解決手段】上方から流入する雨水を集水する枡本体２と該雨水を側方に排出するために該枡本体２の側壁に連通形成した排水筒３とからなる雨樋連結用枡１において、雨樋連結用枡１の内壁面に該雨水を整流する整流板４を形成したことを特徴とする雨樋連結用枡。【選択図】　図１
2004011382.tif 000002
【特許請求の範囲】
【請求項１】
上方から流入する雨水を集水する枡本体と該雨水を側方に排出するために該枡本体の側壁に連通形成した排水筒とからなる雨樋連結用枡において、雨樋連結用枡の内壁面に該雨水を整流する整流板を形成したことを特徴とする雨樋連結用枡。
【請求項２】
上記整流板を枡本体の底板の中央部に排水筒の方向に平行に立設した請求項１記載の雨樋連結用枡。
【請求項３】
上記整流板を枡本体の底板及び排水筒の底板の中央部に該排水筒の方向に平行に連続して立設した請求項１記載の雨樋連結用枡。
【請求項４】
上記整流板を枡本体の底板に排水筒の方向に平行に複数枚並設させて立設した請求項１記載の雨樋連結用枡。
【請求項５】
上記整流板を枡本体の底板に排水筒の方向に平行に複数枚並設させて立設するとともに、該複数枚の整流板の立設高さを、中央の整流板から端の整流板にいくに従って徐々に低くなるよう形成した請求項１記載の雨樋連結用枡。
【発明の詳細な説明】
【０００１】
【発明の属する技術分野】
本発明は、上方から流入する雨水を集水する枡本体と該雨水を側方に排出するために該枡本体の側壁に連通形成した排水筒とからなる雨樋連結用枡に関するものである。
【０００２】
【従来の技術】
従来、水平に配設された軒樋同士の突き合わせ部に集水器を介在させ、両軒樋から集水器に向かって流れてくる雨水を集めて下方に落下させる場合において、両軒樋から集水器に流れてくる雨水が互いにぶつかって乱流を起こすことが原因で、該雨水が集水器に導入されにくくなり、該雨水が軒樋からあふれ出るという問題があった。この問題を解決するために特開平５−９８７５６号公報、特開平１１−４４０６５号公報、特開平１０−２４５９４７号公報等に開示されているように、該集水器に仕切り板や導水片を形成した集水器があった。一方、上方から流入する雨水を集水する枡本体と該雨水を側方に排出するために該枡本体の側壁に連通形成した排水筒とからなる雨樋連結用枡に関しては、上方から流入落下する雨水の落下衝撃が大きく雨樋連結用枡が損傷しやすく、該衝撃音も大きく、雨水の流出効率も悪いという問題があったが、従来、この問題は解決されていなかった。
【０００３】
【発明が解決しようとする課題】
本発明は、上方から流入する雨水を集水する枡本体と該雨水を側方に排出するために該枡本体の側壁に連通形成した排水筒とからなる雨樋連結用枡において、雨水の排出方向を効率よく変えることができ、しかも該雨樋連結用枡の強度を増大できるとともに、雨水の流入落下による衝撃音を小さくできる雨樋連結用枡を提供することを課題とする。
【０００４】
【課題を解決するための手段】
本発明は、上記課題を解決するために考え出されたものであって、つぎのような技術的手段を講じている。すなわち、請求項１に記載の雨樋連結用枡は、上方から流入する雨水を集水する枡本体と該雨水を側方に排出するために該枡本体の側壁に連通形成した排水筒とからなる雨樋連結用枡において、雨樋連結用枡の内壁面に該雨水を整流する整流板を形成したことを特徴とする。
【０００５】
請求項２に記載の雨樋連結用枡は、請求項１に記載の雨樋連結用枡において、上記整流板を枡本体の底板の中央部に排水筒の方向に平行に立設したことを特徴とする。
【０００６】
請求項３に記載の雨樋連結用枡は、請求項１に記載の雨樋連結用枡において、上記整流板を枡本体の底板及び排水筒の底板の中央部に該排水筒の方向に平行に連続して立設したことを特徴とする。
【０００７】
請求項４に記載の雨樋連結用枡は、請求項１に記載の雨樋連結用枡において、上記整流板を枡本体の底板に排水筒の方向に平行に複数枚並設させて立設したことを特徴とする。
【０００８】
請求項５に記載の雨樋連結用枡は、請求項１記載の雨樋連結用枡において、上記整流板を枡本体の底板に排水筒の方向に平行に複数枚並設させて立設するとともに、該複数枚の整流板の立設高さを、中央の整流板から端の整流板にいくに従って徐々に低くなるよう形成したことを特徴とする。
【０００９】
【発明の実施の形態】
以下、本発明の好ましい実施の形態について、図面を参照してさらに詳細に説明する。図１は本発明にかかる雨樋連結用枡の第１実施例の外観形状を示す斜視図、図２は図１におけるＡ−Ａ線断面図、図３は図１におけるＢ−Ｂ線断面図である。図において、１は雨樋連結用枡であり、該雨樋連結用枡１は上方から流入落下する雨水を集水する枡本体２と該雨水を側方に排出するために該枡本体２の側壁に連通形成した排水筒３とからなっている。枡本体２はその天板２２に円形の雨水流入孔２３が形成され、枡本体２の４面のそれぞれの側壁２４は下方にいくに従って内側方向に傾斜している。枡本体２の底板２１の中央部には矩形状の整流板４が排水筒３と平行に立設されている。５は雨水流入孔２３に挿入される縦樋である。
【００１０】
上記実施例において、縦樋５から雨水が枡本体２に流入落下すると該雨水は図２、図３に示す如く枡本体２の側壁２４の内面壁を伝わりながら落下し底板２１に衝突した後、はね返りながら中央の整流板４や側壁２４の内面壁に当たり、乱流しながら該整流板４に整流されて排水筒３の方向に流れ、最後に排水筒３の出口から排水される。このとき、雨樋連結用枡１内において、上方から流入落下してくる雨水の乱流を整流板４がよく整流し、雨水が雨樋連結用枡１を通過するときの騒音が押さえられる。また、雨水の落下による底板への衝撃が整流板４によって吸収され雨樋連結用枡１の強度が増し耐用年数が大きくなる。排水された雨水はそのまま図外の排水溝に流される。排水筒３に図外の放出管を連接し該放出管を通して別の場所に該雨水を排出する場合もある。
【００１１】
図４は本発明にかかる第２実施例の雨樋連結用枡を示す断面図である。この第２実施例は上記整流板４を枡本体２の底板２１及び排水筒３の底板３１の中央部に該排水筒３の方向に平行に連続して立設したものである。この第２実施例では、枡本体２の底板２１上に上方から流入落下した雨水は、整流板４によって枡本体２の底板２１及び排水筒３の底板３１上を連続して整流されるようになっている。
【００１２】
図５乃至図８は本発明にかかる雨樋連結用枡の第３実施例を示すものであり、図５は雨樋連結用枡の一部切欠斜視図、図６は雨樋連結用枡の底板の一部切欠斜視図、図７及び図８は雨樋連結用枡の底板と雨水との関係を示す部分拡大断面図である。この第３実施例は整流板４を枡本体２の底板２１に排水筒３の方向に平行に複数枚並設させて立設するとともに、該複数枚の整流板４の立設高さを、中央の整流板４１から中間の整流板４２、端の整流板４３にいくに従って徐々に低くなるよう形成した雨樋連結用枡である。
【００１３】
第３実施例の雨樋連結用枡では、左右にそれぞれ３つの流路が形成されるのであり、枡本体２内に流入落下した雨水は、主として枡本体２の側壁２４の内面壁を伝わって底板２１に溜まるから、雨水は、最初に図７に示すように内壁面に一番近い流路にたまり、次に、図８に示すように中間の流路（整流板４２と整流板４３との間）に溜まり、最後に中央の流路（整流板４２と整流板４１との間）に溜まっていき、同時にこれらの整流板４に整流されながら排水筒３の方向に排出されていくのである。従って、この第３実施例においては、枡本体２内の雨水が少量の場合でも端の流路において雨水の水位を大きく維持でき整流効果が大きく、枡本体２内の雨水が大量の場合は各整流板４で整流でき各流路の排出速度が大きく維持でき、全体として整流効果が大きくなるのである。
【００１４】
【発明の効果】
以上述べたように、請求項１に記載の雨樋連結用枡は、上方から流入する雨水を集水する枡本体２と該雨水を側方に排出するために該枡本体２の側壁に連通形成した排水筒３とからなる雨樋連結用枡１において、雨樋連結用枡１の内壁面に該雨水を整流する整流板４を形成したから、雨樋連結用枡１内において、上方から流入落下してくる雨水の乱流を整流板４がよく整流して側方に効率よく排出でき、この整流効果により雨水が雨樋連結用枡１を通過するときの騒音を小さく押さえることができる。また、整流板４は雨樋連結用枡１の内壁面に形成されているので該雨樋連結用枡１の強度が増し耐用年数も大きくなるのである。
【００１５】
請求項２に記載の雨樋連結用枡は、請求項１に記載の雨樋連結用枡において、上記整流板４を枡本体２の底板２１の中央部に排水筒３の方向に平行に立設したから、上方から流入落下する雨水の落下衝撃を最も強く受ける枡本体２の底板２１の変形が該整流板４によってよく防止されるとともに、該底板２１を流れる雨水は該整流板４によってよく整流され排水筒３の方向に向かって効率よく排出されるのである。
【００１６】
請求項３に記載の雨樋連結用枡は、請求項１に記載の雨樋連結用枡において、上記整流板４を枡本体２の底板２１及び排水筒３の底板３１の中央部に該排水筒３の方向に平行に連続して立設したから、枡本体２の底板２１に上方から流入落下した雨水は、整流板４によって枡本体２の底板２１及び排水筒３の底板３１上を連続して整流されるので、雨水が一層効率よく排出されるのである。
【００１７】
請求項４に記載の雨樋連結用枡は、請求項１に記載の雨樋連結用枡において、上記整流板４を枡本体２の底板２１に排水筒３の方向に平行に複数枚並設させて立設したから、整流板４を１枚だけ形成された雨樋連結用枡１に比較して、枡本体２の底板２１上に上方から流入落下した雨水は、並設された整流板４によって一層よく整流され、排水筒３に向かって、円滑に排出されるのである。
【００１８】
請求項５に記載の雨樋連結用枡は、請求項１に記載の雨樋連結用枡において、上記整流板４を枡本体２の底板２１に排水筒３の方向に平行に複数枚並設させて立設するとともに、該複数枚の整流板４の立設高さを、中央の整流板４１から端の整流板４３にいくに従って徐々に低くなるよう形成したから、枡本体２の底板２１上に上方から流入落下した雨水は、最初に枡本体２の内側面とそれに対向した端の整流板４３との間に溜まり易いので、図７、図８に示す如く、枡本体２内に流入落下した雨水が少量の場合、或いは、雨水が枡本体２に流入落下した初期段階において、枡本体２の内側面とそれに対向した端の整流板４３との間に溜まった雨水の水位がある程度上がるので、整流効果が大きくなり、また、枡本体２内の雨水が大量の場合は残りの隣接する整流板４３、４２間及び整流板４２、４１間に溜まる雨水の水位も高くなるので、これらの雨水は各整流板４で整流され全体として整流効果がよく、排出雨水の量にあまり影響されることなく枡本体２内の雨水を方向転換して一層効率よく排出できるのである。
【図面の簡単な説明】
【図１】本発明にかかる雨樋連結用枡の第１実施例の外観形状を示す斜視図。
【図２】図１におけるＡ−Ａ線断面図。
【図３】図１におけるＢ−Ｂ線断面図。
【図４】本発明にかかる雨樋連結用枡の第２実施例の断面図。
【図５】本発明にかかる雨樋連結用枡の第３実施例の一部切欠斜視図。
【図６】上記第３実施例における雨樋連結用枡の底板の一部切欠斜視図。
【図７】上記第３実施例における雨樋連結用枡の底板と雨水との関係を示す部分拡大断面図。
【図８】上記第３実施例における雨樋連結用枡の底板と雨水との関係を示す部分拡大断面図。
【符号の説明】
１　　　　雨樋連結用枡
２　　　　枡本体
２１　　　枡本体の底板
２２　　　枡本体の天板
２３　　　雨水流入孔
２４　　　枡本体の側壁
３　　　　排水筒
３１　　　排水筒の底板
４　　　　整流板
４１　　　中央の整流板
４２　　　中間の整流板
４３　　　端の整流板
５　　　　縦樋
【図１】
2004011382.tif 000003
【図２】
2004011382.tif 000004
【図３】
2004011382.tif 000005
【図４】
2004011382.tif 000006
【図５】
2004011382.tif 000007
【図６】
2004011382.tif 000008
【図７】
2004011382.tif 000009
【図８】
2004011382.tif 000010